(57)【要約】【課題】  光ディスク再生装置において、設定された再生レイヤがマルチチャンネルであっても２チャンネルレイヤを選択し再生する【解決手段】  光ディスク再生装置において、光ディスクを再生する再生部と、光ディスクの複数チャンネルのディジタルオーディオ信号の記録層を再生するか２チャンネルのディジタルオーディオ信号の記録層を再生するかを選択する記録層選択部と、複数チャンネルのディジタルオーディオ信号を出力するか２チャンネルのディジタルオーディオ信号を出力するかを選択するディジタルオーディオ信号出力選択部と、記録層選択部が複数チャンネルのディジタルオーディオ信号の記録層の再生を選択しディジタルオーディオ信号出力選択部が２チャンネルのディジタルオーディオ信号の出力を選択している場合、記録層選択部に２チャンネルのディジタルオーディオ信号の記録層を選択させた後、再生部に光ディスクを再生させる制御部を備えた。【選択図】      図１
2007102886.tif 000002
【特許請求の範囲】
【請求項１】
光ディスクを再生する再生部と、光ディスクの複数チャンネルのディジタルオーディオ信号の記録層を再生するか２チャンネルのディジタルオーディオ信号の記録層を再生するかを選択する記録層選択部と、複数チャンネルのディジタルオーディオ信号を出力するか２チャンネルのディジタルオーディオ信号を出力するかを選択するディジタルオーディオ信号出力選択部と、前記記録層選択部が複数チャンネルのディジタルオーディオ信号の記録層の再生を選択し前記ディジタルオーディオ信号出力選択部が２チャンネルのディジタルオーディオ信号の出力を選択している場合、前記記録層選択部に２チャンネルのディジタルオーディオ信号の記録層を再生する選択をさせた後、前記再生部に光ディスクを再生させる制御部を備えたことを特徴とする光ディスク再生装置。
【請求項２】
光ディスクを再生する再生部と、光ディスクの複数チャンネルのディジタルオーディオ信号の記録層を再生するか２チャンネルのディジタルオーディオ信号の記録層を再生するかを選択する記録層選択部と、出力チャンネル数を設定する設定部と、前記記録層選択部が複数チャンネルのディジタルオーディオ信号の記録層の再生を選択し前記設定部の設定値が２チャンネルである場合、前記記録層選択部に２チャンネルのディジタルオーディオ信号の記録層を再生する選択をさせた後、前記再生部に光ディスクを再生させる制御部を備えたことを特徴とする光ディスク再生装置。
【発明の詳細な説明】
【技術分野】
【０００１】
本発明は、光ディスクを再生する光ディスク再生装置に関する。
【背景技術】
【０００２】
図３は、従来の光ディスク再生装置の一例の構成を示すブロック図である。
メカユニット部１１は、光ピックアップユニット１１０１、光ディスク１１０２、メカ駆動部１１０３を備える。光ピックアップユニット１１０１は、光ディスク１１０２に記録されたディジタルオーディオ信号、ディジタルビデオ信号等を読み出す光ピックアップ、光ディスクを回転駆動するスピンドルモータ、及び光ピックアップをスライド駆動するスライドモータを備える。光ディスク１１０２には、２系統(２チャンネル)のディジタルオーディオ信号の記録層(レイヤ)と複数(マルチ)チャンネルのディジタルオーディオ信号のレイヤが記録されている。メカ駆動部１１０３は、スピンドルモータ及びスライドモータを駆動する。
【０００３】
信号処理部１２は、ＲＦ(Radio Frequency)信号処理部１２０１、サーボプロセッサ１２０２、データプロセッサ１２０３を備える。ＲＦ信号処理部１２０１は、光ピックアップユニット１１０１が読み出したディジタルオーディオ信号、ディジタルビデオ信号等を、ＲＦ信号処理する。サーボプロセッサ１２０２は、ＲＦ信号処理部１２０１から入力される信号に基づいて光ピックアップユニット１１０１の、光ピックアップ、スピンドルモータ、スライドモータを、制御するとともに、ディジタルオーディオ信号、ディジタルビデオ信号をデータプロセッサ１２０３に出力する。データプロセッサ１２０３は、ディジタルオーディオ信号、ディジタルビデオ信号の復調及びエラー訂正を行う。
【０００４】
アプリケーションブロック部１３は、主映像デコーダ１３０１、副映像デコーダ１３０２、ＮＴＳＣ(National Television System Committee)エンコーダ１３０３、オーディオデコーダ１３０４を備える。主映像デコーダ１３０１は、データプロセッサ１２０３から入力されたディジタルビデオ信号のうち主映像信号を検出してデコードする。副映像デコーダ１３０２は、データプロセッサ１２０３から入力されたディジタルビデオ信号のうち副映像信号を検出してデコードする。ＮＴＳＣエンコーダ１３０３は、主映像デコーダ１３０１がデコードした主映像信号、及び副映像デコーダ１３０２がデコードした副映像信号をディジタルＮＴＳＣ映像信号にエンコードする。オーディオデコーダ１３０４は、データプロセッサ１２０３から入力されたディジタルオーディオ信号をデコードする。
【０００５】
ＩＰ(Interlace to Progressive)変換部１４は、ＮＴＳＣエンコーダ１３０３がエンコードしたディジタルＮＴＳＣ映像信号をインタレース信号からプログレッシブ信号に変換する。ビデオエンコーダ１５は、ＩＰ変換部１４がＩＰ変換したディジタル映像信号をアナログ映像信号に変換する。スケーラ１６は、ＩＰ変換部１４がＩＰ変換したディジタル映像信号をスケーリング処理する。
【０００６】
出力部１７は、アナログ映像出力部１７０１、ディジタルオーディオ出力部１７０２、ＨＤＭＩ(High-Definition Multimedia Interface)出力部１７０３、アナログオーディオ出力部１７０４を備え、各々の出力端子に接続された伝送線を介して装置外に各信号を出力する。アナログ映像出力部１７０１は、ビデオエンコーダ１５が変換したアナログ映像信号を出力する。ディジタルオーディオ出力部１７０２は、オーディオデコーダ１３０４がデコードしたディジタルオーディオ信号を出力する。ＨＤＭＩ出力部１７０３は、スケーラ１６がスケーリング処理したディジタル映像信号、及びオーディオデコーダ１３０４がデコードしたディジタルオーディオ信号を出力する。ＤＡ(Digital to Analog)コンバータ(ＤＡＣ)１８は、オーディオデコーダ１３０４がデコードしたディジタルオーディオ信号をアナログオーディオ信号に変換する。アナログオーディオ出力部１７０４は、ＤＡＣ１８が変換したアナログオーディオ信号を出力する。
【０００７】
システムコントローラ１９は、信号処理部１２、アプリケーションブロック部１３、ＨＤＭＩ出力部１７０３の動作を制御する。システムコントローラ１９は、レイヤ設定検出部１９ａを備える。レイヤ設定検出部１９ａは、光ディスク１１０２が再生するレイヤが、光ディスク１１０２に予め２チャンネルレイヤに設定されているかマルチチャンネルレイヤに設定されているかを検出する。システムコントローラ１９は、メカユニット部１１が光ディスク１１０２を再生する場合、信号処理部１２を制御して、レイヤ設定検出部１９ａが検出したレイヤを再生させる。
【０００８】
ユーザインタフェースブロック２０は、光ディスク再生装置１の操作ボタン、及び光ディスク再生装置１の動作状態を表示する表示部を備え、システムコントローラ１９に接続されている。リモートコントローラ(リモコン)２１は、光ディスク再生装置１の操作ボタンを備え、操作信号を赤外線等で無線送信する。ユーザインタフェースブロック２０は、リモコン２１から送信された操作信号を受信する受信部を備える。
【０００９】
図４は、光ディスク再生装置に接続して用いるＡＶアンプ装置の一例の構成を示すブロック図である。
入力部３０は、ディジタルオーディオ入力部３００１、ＨＤＭＩ入力部３００２、アナログオーディオ入力部３００３、アナログ映像入力部３００４を備え、各々の入力端子に接続された伝送線を介して装置内に各信号を入力する。ディジタルオーディオ入力部３００１は、ディジタルオーディオ信号を入力する。ＨＤＭＩ入力部３００２は、ディジタル映像信号及びディジタルオーディオ信号を入力し復調する。アナログオーディオ入力部３００３は、アナログオーディオ信号を入力する。アナログ映像入力部３００４は、アナログ映像信号を入力する。
【００１０】
ＤＩＲ(Digital Interface Receiver)３１は、ディジタルオーディオ入力部３００１が入力したディジタルオーディオ信号を復調する。ビデオエンコーダ３２は、ＨＤＭＩ入力部３００２が入力したディジタル映像信号をアナログ映像信号に変換する。ＡＤ(Analog to Digital)コンバータ(ＡＤＣ)３３は、アナログオーディオ入力部３００３が入力したアナログオーディオ信号をディジタルオーディオ信号に変換する。ディジタル信号処理部(ＤＳＰ(Digital Signal Processor))３４は、ＤＩＲ３１が復調したディジタルオーディオ信号、ＨＤＭＩ入力部３００２が入力したディジタルオーディオ信号、又はＡＤＣ３３が変換したディジタルオーディオ信号を復調し、サラウンドオーディオ再生を行う場合、８チャンネルのディジタルサラウンドオーディオ信号を生成する。
【００１１】
ＤＡＣ３６は、ＤＳＰ３４から入力されたディジタルオーディオ信号をアナログオーディオ信号に変換する。アンプ３７は、ＤＡＣ３６が変換したアナログオーディオ信号を増幅して、各チャンネルの出力端子に接続されたスピーカに出力する。アナログ映像出力部３８は、ビデオエンコーダ３２が変換したアナログ映像信号、又はアナログ映像入力部３００４が入力したアナログ映像信号を、出力端子に接続された映像表示装置に出力する。
マイクロコンピュータ(マイコン)３５は、ＤＩＲ３１、ＨＤＭＩ入力部３００２、ＤＳＰ３４、アナログ映像出力部３８の動作を制御する。
【００１２】
図５は、従来の光ディスク再生装置の再生動作の一例を示すフローチャートである。光ディスク再生装置の電源スイッチが入れられる(ＯＮにされる)と(ＳＴ１)、レイヤ設定検出部１９ａは、優先的に再生するレイヤとして光ディスクに予め設定されているレイヤがマルチチャンネル(ＭＣＨ)であるか２チャンネル(２ＣＨ)であるかをチェックする(ＳＴ２)。マルチチャンネルに設定されていれば(ＳＴ２でＹｅｓ)、光ディスクのマルチチャンネルのレイヤを再生し(ＳＴ３)、再生終了する(ＳＴ４でＹｅｓ)まで再生して、終了する。２チャンネルに設定されていれば(ＳＴ２でＮｏ)、光ディスクの２チャンネルのレイヤを再生し(ＳＴ５)、再生終了する(ＳＴ６でＹｅｓ)まで再生して、終了する。
【００１３】
このように、従来の光ディスク再生装置は、優先的に再生するレイヤとして光ディスクに予め定められているレイヤの設定に基づいて再生するレイヤを選択していた。この光ディスクのレイヤの設定は、光ディスクの再生開始時に読み出されて、光ディスク再生装置が優先的に再生するレイヤとして選択される。使用者が他のレイヤを再生したい場合には、再生開始後に手動操作で選択しなおす必要がある。
【００１４】
また、光ディスク再生装置において、光ディスクの種類を識別し、識別した種類に応じてスピーカの出力設定を自動的に切り換えるオーディオ再生装置があった(特許文献１参照)。
【００１５】
【特許文献１】特開２００２−３６９２９９号公報
【発明の開示】
【発明が解決しようとする課題】
【００１６】
特許文献１のオーディオ再生装置は、光ディスクの種類を識別し、識別した種類に応じてスピーカの出力設定を自動的に切り換える装置であるが、光ディスクのマルチチャンネルレイヤと２チャンネルレイヤを識別して出力チャンネル数を切り換える構成を備えるものではなかった。
【００１７】
従来の光ディスク再生装置において、光ディスク再生装置が２チャンネルレイヤを選択して読み出し出力する状態になっている場合、使用者がその状態を継続して２チャンネル再生を継続して行おうとしても、新たに再生を開始する光ディスクから読み出した設定がマルチレイヤであれば、光ディスク再生装置は優先的に再生するレイヤとして自動的にマルチレイヤに切り換えて再生を開始する。ここで、例えば、使用者が２チャンネルレイヤを再生したい場合、手動操作で設定を変更するためのメニュー画面を表示させディスク再生装置が再生するレイヤを切り換えて再生しなおす操作を必要とした。
【００１８】
本発明の目的は、光ディスク再生装置において、光ディスクに予め設定されている優先再生レイヤがマルチチャンネルレイヤであっても、光ディスク再生装置が２チャンネルレイヤを再生する状態にある場合、２チャンネルレイヤを自動的に選択して再生することができる装置を提供することにある。
【課題を解決するための手段】
【００１９】
本発明の請求項１に記載の光ディスク再生装置は、光ディスクを再生する再生部と、光ディスクの複数チャンネルのディジタルオーディオ信号の記録層を再生するか２チャンネルのディジタルオーディオ信号の記録層を再生するかを選択する記録層選択部と、複数チャンネルのディジタルオーディオ信号を出力するか２チャンネルのディジタルオーディオ信号を出力するかを選択するディジタルオーディオ信号出力選択部と、前記記録層選択部が複数チャンネルのディジタルオーディオ信号の記録層の再生を選択し前記ディジタルオーディオ信号出力選択部が２チャンネルのディジタルオーディオ信号の出力を選択している場合、前記記録層選択部に２チャンネルのディジタルオーディオ信号の記録層を再生する選択をさせた後、前記再生部に光ディスクを再生させる制御部を備えたものである。
【００２０】
本発明の請求項２に記載の光ディスク再生装置は、光ディスクを再生する再生部と、光ディスクの複数チャンネルのディジタルオーディオ信号の記録層を再生するか２チャンネルのディジタルオーディオ信号の記録層を再生するかを選択する記録層選択部と、出力チャンネル数を設定する設定部と、前記記録層選択部が複数チャンネルのディジタルオーディオ信号の記録層の再生を選択し前記設定部の設定値が２チャンネルである場合、前記記録層選択部に２チャンネルのディジタルオーディオ信号の記録層を再生する選択をさせた後、前記再生部に光ディスクを再生させる制御部を備えたものである。
【発明の効果】
【００２１】
本発明の光ディスク再生装置によれば、光ディスクに予め設定されている再生レイヤがマルチチャンネルレイヤであっても、光ディスク再生装置が２チャンネルレイヤを再生する状態にある場合、２チャンネルレイヤを自動的に選択して再生することができる。
【発明を実施するための最良の形態】
【００２２】
図１は、本発明の光ディスク再生装置の一実施例の構成を示すブロック図である。
メカユニット部１１は、光ピックアップユニット１１０１、光ディスク１１０２、メカ駆動部１１０３を備える。光ピックアップユニット１１０１は、光ディスク１１０２に記録されたディジタルオーディオ信号、ディジタルビデオ信号等を読み出す光ピックアップ、光ディスクを回転駆動するスピンドルモータ、及び光ピックアップをスライド駆動するスライドモータを備える。光ディスク１１０２には、２チャンネルのディジタルオーディオ信号のレイヤとマルチチャンネルのディジタルオーディオ信号のレイヤが記録されている。メカ駆動部１１０３は、スピンドルモータ及びスライドモータを駆動する。
【００２３】
信号処理部１２は、ＲＦ信号処理部１２０１、サーボプロセッサ１２０２、データプロセッサ１２０３を備える。ＲＦ信号処理部１２０１は、光ピックアップユニット１１０１が読み出したディジタルオーディオ信号、ディジタルビデオ信号等を、ＲＦ信号処理する。サーボプロセッサ１２０２は、ＲＦ信号処理部１２０１から入力される信号に基づいて光ピックアップユニット１１０１の、光ピックアップ、スピンドルモータ、スライドモータを、制御するとともに、ディジタルオーディオ信号、ディジタルビデオ信号をデータプロセッサ１２０３に出力する。データプロセッサ１２０３は、ディジタルオーディオ信号、ディジタルビデオ信号の復調及びエラー訂正を行う。
【００２４】
アプリケーションブロック部１３は、主映像デコーダ１３０１、副映像デコーダ１３０２、ＮＴＳＣエンコーダ１３０３、オーディオデコーダ１３０４を備える。主映像デコーダ１３０１は、データプロセッサ１２０３から入力されたディジタルビデオ信号のうち主映像信号を検出してデコードする。副映像デコーダ１３０２は、データプロセッサ１２０３から入力されたディジタルビデオ信号のうち副映像信号を検出してデコードする。ＮＴＳＣエンコーダ１３０３は、主映像デコーダ１３０１がデコードした主映像信号、及び副映像デコーダ１３０２がデコードした副映像信号をディジタルＮＴＳＣ映像信号にエンコードする。オーディオデコーダ１３０４は、データプロセッサ１２０３から入力されたディジタルオーディオ信号をデコードする。
【００２５】
ＩＰ変換部１４は、ＮＴＳＣエンコーダ１３０３がエンコードしたディジタルＮＴＳＣ映像信号をＩＰ変換する。ビデオエンコーダ１５は、ＩＰ変換部１４がＩＰ変換したディジタル映像信号をアナログ映像信号に変換する。スケーラ１６は、ＩＰ変換部１４がＩＰ変換したディジタル映像信号をスケーリング処理する。
【００２６】
出力部１７は、アナログ映像出力部１７０１、ディジタルオーディオ出力部１７０２、ＨＤＭＩ出力部１７０３、アナログオーディオ出力部１７０４を備え、各々の出力端子に接続された伝送線を介して装置外に各信号を出力する。アナログ映像出力部１７０１は、ビデオエンコーダ１５が変換したアナログ映像信号を出力する。ディジタルオーディオ出力部１７０２は、オーディオデコーダ１３０４がデコードしたディジタルオーディオ信号を出力する。ＨＤＭＩ出力部１７０３は、スケーラ１６がスケーリング処理したディジタル映像信号、及びオーディオデコーダ１３０４がデコードしたディジタルオーディオ信号を出力する。ＨＤＭＩ出力部１７０３は、設定部１７０３ａを備える。設定部１７０３ａは、ディジタルオーディオ信号の出力チャンネル数を設定する。ＤＡコンバータ(ＤＡＣ)１８は、オーディオデコーダ１３０４がデコードしたディジタルオーディオ信号をアナログオーディオ信号に変換する。アナログオーディオ出力部１７０４は、ＤＡＣ１８が変換したアナログオーディオ信号を出力する。
【００２７】
システムコントローラ１９は、信号処理部１２、アプリケーションブロック部１３、ＨＤＭＩ出力部１７０３の動作を制御する。システムコントローラ１９は、レイヤ設定検出部１９ａ、レイヤ選択部１９ｂ、出力設定検出部１９ｃを備える。レイヤ設定検出部１９ａは、光ピックアップユニット１１０１が光ディスク１１０２から読み出し信号処理部１２を介してシステムコントローラ１９に入力する、光ディスク１１０２に予め設定されているレイヤが、２チャンネルレイヤであるかマルチチャンネルレイヤであるかを検出する。システムコントローラ１９は、メカユニット部１１が光ディスク１１０２を再生する場合、信号処理部１２を制御して、レイヤ設定検出部１９ａが検出したレイヤを再生させる。
【００２８】
レイヤ選択部１９ｂは、光ディスクに予め設定されたレイヤ、及び出力設定検出部１９ｃが検出した設定部１７０３ａに設定された出力チャンネル数に基づいて、光ディスクのマルチチャンネルレイヤを再生するか２チャンネルレイヤを再生するかを選択する。システムコントローラ１９は、レイヤ選択部１９ｂがマルチチャンネルレイヤの再生を選択しＨＤＭＩ出力部１７０３が２チャンネルの出力を選択している場合、レイヤ選択部１９ｂに２チャンネルレイヤの再生を選択させてから、光ディスクの再生を行う。出力設定検出部１９ｃは、設定部１７０３ａに設定された出力チャンネル数を検出する。
【００２９】
ユーザインタフェースブロック２０は、光ディスク再生装置１の操作ボタン、及び光ディスク再生装置１の動作状態を表示する表示部を備え、システムコントローラ１９に接続されている。リモートコントローラ（リモコン）２１は、光ディスク再生装置１の操作ボタンを備え、操作信号を赤外線等で無線送信する。ユーザインタフェースブロック２０は、リモコン２１から送信された操作信号を受信する受信部を備える。
【００３０】
図２は、本発明の光ディスク再生装置の一実施例の動作を示すフローチャートである。光ディスク再生装置の電源スイッチが入れられる(ＯＮにされる)と(Ｓ１)、レイヤ設定検出部１９ａは、光ピックアップユニット１１０１が光ディスク１１０２から読み出し信号処理部１２を介してシステムコントローラ１９に入力する、光ディスクに設定されたレイヤが、マルチチャンネル(ＭＣＨ)であるか２チャンネル(２ＣＨ)であるかを判別する(Ｓ２)。２チャンネルに設定されていれば(Ｓ２でＮｏ)、光ディスクの２チャンネルのレイヤを再生し(Ｓ７)、当該２チャンネルのレイヤの再生が終了する(Ｓ８でＹｅｓ)まで再生して、終了する。
【００３１】
マルチチャンネルに設定されていれば(Ｓ２でＹｅｓ)、システムコントローラ１９は、ＨＤＭＩ出力部１７０３からディジタルオーディオ信号を出力するか否かを判別する(Ｓ４)。ＨＤＭＩ出力部１７０３からディジタルオーディオ信号を出力しない場合(Ｓ３でＮｏ)、アナログオーディオ出力部１７０４からアナログオーディオ信号を出力することとして、光ディスクのマルチチャンネルレイヤを再生し(Ｓ９)、当該マルチチャンネルの再生が終了する(Ｓ１０でＹｅｓ)まで再生して、終了する。
【００３２】
ＨＤＭＩ出力部１７０３からディジタルオーディオ信号を出力する場合(Ｓ３でＹｅｓ)、出力設定検出部１９ｃは、設定部１７０３ａに設定された出力チャンネル数を検出する(Ｓ４)。２チャンネルに設定されていれば(Ｓ４でＹｅｓ)、光ディスクの２チャンネルのレイヤを再生し(Ｓ５)、当該２チャンネルのレイヤの再生が終了する(Ｓ６でＹｅｓ)まで再生して、終了する。マルチチャンネルに設定されていれば(Ｓ４でＮｏ)、光ディスクのマルチチャンネルレイヤを再生し(Ｓ１１)、当該マルチチャンネルレイヤの再生が終了する(Ｓ１２でＹｅｓ)まで再生して、終了する。
なお、本発明の光ディスク再生装置は、記録機能を付加し、記録可能な光ディスクを用いて、光ディスク記録再生装置として実施することもできる。
【図面の簡単な説明】
【００３３】
【図１】本発明の光ディスク再生装置の一実施例の構成を示すブロック図である。
【図２】本発明の光ディスク再生装置の一実施例の動作を示すフローチャートである。
【図３】従来の光ディスク再生装置の一例の構成を示すブロック図である。
【図４】光ディスク再生装置に接続して用いるＡＶアンプ装置の一例の構成を示すブロック図である。
【図５】従来の光ディスク再生装置の再生動作の一例を示すフローチャートである。
【符号の説明】
【００３４】
１  光ディスク再生装置
１１  メカユニット部
１１０１  光ピックアップユニット
１１０２  光ディスク
１１０３  メカ駆動部
１２  信号処理部
１２０１  ＲＦ信号処理部
１２０２  サーボプロセッサ
１２０３  データプロセッサ
１３  アプリケーションブロック部
１３０１  主映像デコーダ
１３０２  副映像デコーダ
１３０３  ＮＴＳＣエンコーダ
１３０４  オーディオデコーダ
１４  ＩＰ変換部
１５  ビデオエンコーダ
１６  スケーラ
１７  出力部
１７０１  アナログ映像出力部
１７０２  ディジタルオーディオ出力部
１７０３  ＨＤＭＩ出力部
１７０３ａ  設定部
１７０４  アナログオーディオ出力部
１８  ＤＡＣ
１９  システムコントローラ
１９ａ  レイヤ設定検出部
１９ｂ  レイヤ選択部
１９ｃ  出力設定検出部
２０  ユーザインタフェースブロック部
２１  リモコン
２  ＡＶアンプ装置
３０  入力部
３１  ＤＩＲ
３２  ビデオエンコーダ
３３  ＡＤＣ
３４  ＤＳＰ
３５  マイコン
３６  ＤＡＣ
３７  アンプ
３８  アナログ映像出力部
【図１】
2007102886.tif 000003
【図２】
2007102886.tif 000004
【図３】
2007102886.tif 000005
【図４】
2007102886.tif 000006
【図５】
2007102886.tif 000007